(57)【要約】【課題】使用されていない機能が多く存在し、機器に搭載された多くの機能が使用者に有効に活用され、使用者への利便性の提供を十分なものとしたものである。【解決手段】本体動作状態及び動作回数を記憶し本体機能の使用頻度を認識する頻度認識手段６と本体動作の機能提案の回数を記憶する提案実行回数記憶手段９と、本体各手段を制御する制御手段７を有し、前記制御手段７は前記頻度認識手段６、提案実行回数記憶手段９の出力より使用頻度の低い機能の説明を表示手段または報知手段４により行い、その機能の選択を提案することで、使用者への利便性を向上させた家庭用電化機器とすることができる。【選択図】図１
2010075357.tif 000002
【特許請求の範囲】
【請求項１】
本体の動作の選択、または動作開始及び停止を入力する操作手段と、本体の動作内容及び操作手段による選択内容等を表示する表示手段と、使用者に操作手段の入力確認及び本体動作の終了時期などを報知する報知手段と、本体動作状態及び動作回数を記憶し本体機能の使用頻度を認識する頻度認識手段と、本体動作の機能提案の回数を記憶する提案実行回数記憶手段と、本体各手段を制御する制御手段とを具備し、前記制御手段は前記頻度認識手段と前記提案実行回数記憶手段の出力より所定回数の提案実行後に使用頻度に変化が無い場合に機能の提案を停止するようにした家庭用電化機器。
【請求項２】
前記制御手段は操作手段の入力により機能提案動作のＯＮ／ＯＦＦ切り替え機能を有した請求項１記載の家庭用電化機器。
【請求項３】
前記制御手段は機能提案動作をＯＦＦからＯＮに切り替えた際に機能提案動作の設定値を初期化する請求項１または２記載の家庭用電化機器。
【請求項４】
前記制御手段は提案回数を提案する機能に応じて設定した回数までとした請求項１〜３いずれか１項記載の家庭用電化機器。
【請求項５】
前記制御手段は前記頻度認識手段において使用頻度を判定する動作回数を機能提案の回数に応じて設定する請求項１〜４いずれか１項記載の家庭用電化機器。
【請求項６】
前記制御手段は機能提案の回数に応じて機能提案動作で前記表示手段、報知手段とを切り替える請求項１〜５いずれか１項記載の家庭用電化機器。
【請求項７】
前記制御手段は機能提案動作で前記表示手段、報知手段とを切り替える切替入力手段を有した請求項１〜６いずれか１項記載の家庭用電化機器。
【発明の詳細な説明】
【技術分野】
【０００１】
本発明は、使用頻度の低い機能の説明を表示手段または報知手段により行い、その機能の選択を提案する家庭用電化機器およびこの装置を機能させるためのプログラムに関するものである。
【背景技術】
【０００２】
従来、この種の家庭用電化機器は、本体の動作の選択、または動作開始及び停止を入力する操作手段と操作手段による選択内容等を表示する表示手段と、使用者に操作手段の入力確認及び本体動作の終了時期などを報知する報知手段と、本体各手段を制御する制御手段とを備え、制御手段が各手段を制御しながら使用者により選択入力された機能で本体の動作を行うものである。例えば炊飯器であれば「ふつう」、「少量」、「早炊き」、「炊き込み」、「すし」、「おかゆ」などのメニューのなかからコース選択を行い、炊飯を開始するものである（例えば、特許文献１参照）。
【特許文献１】特開２００６−２１２１９８号公報
【発明の開示】
【発明が解決しようとする課題】
【０００３】
しかしながら、前記従来の技術は、炊飯器の場合、お米を洗米後、内釜等で水に浸していた場合には、炊飯時の浸水工程（所定の温度に加熱して、米に水分を浸す工程）が必要なくなり、この工程をカットするためには、「炊飯」スイッチを２度押す様になっている。これは浸水工程をカットすることで炊きあげ迄の総炊飯時間の短縮となり、使用者にメリットのある機能であるが、「炊飯」スイッチを２度押すという行為がなじみが無く、有用であるがあまり使用されていない機能であった。
【０００４】
また、この機能の有無に気が付かない使用者も、多数存在していた。
【０００５】
さらに、このようなスイッチを２度押すのではなく、専用のスイッチを設ければ分かりづらさは解消するものの、コストアップとなることで、実際には行われていない。
【０００６】
このように多機能な今日の家庭用電化機器において、機器に搭載された便利な機能であっても知らされていないが故に、使用されていない機能が多く存在したり、そのような機能の存在を知る術も無かった。
【０００７】
結果として機器に搭載された多くの機能が使用者に有効に活用されず、使用者への利便性の提供が不十分という課題を有していた。
【０００８】
本発明は、前記従来の課題を解決するのもので、使用頻度の低い機能の説明を表示手段または報知手段により行い、その機能の選択を提案し、使用者に未使用であった機能を認知、活用してもらうことで、使用者にたいして利便性を向上させる家庭用電化機器を提供することを目的とする。
【課題を解決するための手段】
【０００９】
前記従来の課題を解決するために本発明の家庭用電化機器は、本体の動作の選択、または動作開始及び停止を入力する操作手段と、本体の動作内容及び操作手段による選択内容等を表示する表示手段と、使用者に操作手段の入力確認及び本体動作の終了時期などを報知する報知手段と、本体動作状態及び動作回数を記憶し本体機能の使用頻度を認識する頻度認識手段と、本体動作の機能提案の回数を記憶する提案実行回数記憶手段と、本体各手
段を制御する制御手段とを具備し、前記制御手段は前記頻度認識手段と前記提案実行回数記憶手段の出力より、所定回数の提案実行後に使用頻度に変化が無い場合に機能の提案を停止する家庭用電化機器としたものである。これによって、使用頻度の少ない機能の選択を提案し、使用者に未使用であった便利な機能を認知、活用してもらうことで、使用者に対して利便性を向上させる家庭用電化機器とすることができる。
【発明の効果】
【００１０】
本発明の家庭用電化機器この機器を機能させるためのプログラムは、使用頻度の少ない機能の選択を報知、およびその選択を提案し、使用者に未使用であった便利な機能を認知、活用してもらうことで、使用者にたいして利便性を向上させるものである。
【発明を実施するための最良の形態】
【００１１】
第１の発明は、本体の動作の選択、または動作開始及び停止を入力する操作手段と、本体の動作内容及び操作手段による選択内容等を表示する表示手段と、使用者に操作手段の入力確認及び本体動作の終了時期などを報知する報知手段と、本体動作状態及び動作回数を記憶し本体機能の使用頻度を認識する頻度認識手段と、本体動作の機能提案の回数を記憶する提案実行回数記憶手段と、本体各手段を制御する制御手段を有し、前記制御手段は前記頻度認識手段と前記提案実行回数記憶手段の出力より、所定回数の提案実行後に使用頻度に変化が無い場合に機能の提案を停止する家庭用電化機器とすることにより、予め設定された所定回数の機能提案後、使用頻度に変化が有る場合は使用頻度の少ない機能の選択を報知、またはその選択を提案し、使用者に未使用であった便利な機能を認知、活用してもらい、使用頻度に変化が無い場合には、機能提案の実行を停止することで、使用者にとって必要のない機能提案を自動的に止め、煩わしさを感じさせず、使用者への利便性を向上した家庭用電化機器とすることができる。
【００１２】
第２の発明は、前記制御手段は操作手段の入力により提案機能のＯＮ／ＯＦＦ切り替え機能を有した請求項１に記載の家庭用電化機器とすることにより、使用者が機能提案の実行有無を選択でき、使用者が機能提案をＯＮに設定した場合、使用頻度の少ない機能の選択を音声により報知、またはその選択を提案し、使用者に未使用であった便利な機能を認知、活用してもらうことで、使用者への利便性を向上した家庭用電化機器とすることができる。
【００１３】
第３の発明は、前記制御手段は機能提案動作をＯＦＦからＯＮに切り替えた際に機能提案動作の設定値を初期化する請求項１または２に記載の家庭用電化機器とすることにより、使用頻度の少ない機能の選択を音声により報知、またはその選択を提案し、使用者に未使用であった便利な機能を認知、活用してもらえ、さらに、使用者が設定された回数の機能提案後に、再度提案内容を確認したい場合に、機能提案動作をＯＦＦからＯＮに切り替えれば、機能提案動作の設定値を初期化することで可能となり、使用者への利便性を向上した家庭用電化機器とすることができる。
【００１４】
第４の発明は、前記制御手段は提案回数を提案する機能に応じて設定した回数までとした請求項１〜３の何れかに記載の家庭用電化機器とすることにより、使用頻度の少ない機能の選択を本体動作終了時に報知、またはその選択を提案機能の内容に応じた設定回数、行うことで、確実に使用者に未使用であった便利な機能を認知してもらい、また、後でその機能を活用してもらうことで、使用者への利便性を向上した家庭用電化機器とすることができる。
【００１５】
第５の発明は、前記制御手段は前記頻度認識手段において使用頻度を判定する動作回数を機能提案の回数に応じて設定する請求項１〜４の何れかに記載の家庭用電化機器とすることにより、使用者に使用頻度の少ない機能毎に適切なタイミングでの報知、またはその
選択を提案することで、確実に使用者に未使用であった便利な機能を認知してもらい、また、後でその機能を活用してもらうことで、使用者への利便性を向上した家庭用電化機器とすることができる。
【００１６】
第６の発明は、前記制御手段は機能提案の回数に応じて機能提案動作で前記表示手段、報知手段とを切り替える請求項１〜５の何れかに記載の家庭用電化機器とすることにより、使用頻度の少ない機能の提案動作の回数に応じて使用者に提案でき、特に音声による同じ内容の繰り返しによる煩わしさを軽減した上で、使用者への利便性を向上した家庭用電化機器とすることができる。
【００１７】
第７の発明は、前記制御手段は機能提案動作で前記表示手段、報知手段とを切り替える切替入力手段を有した請求項１〜６の何れかに記載の家庭用電化機器とすることにより、使用頻度の少ない機能の提案動作の手段を選択できるようにしたことで、使用者にとって利便性の更に向上した家庭用電化機器とすることができる。
【００１８】
以下、本発明の実施の形態について、図面を参照しながら説明する。尚、本実施の形態によって本発明が限定されるものではない。
【００１９】
（実施の形態１）
図１は、本発明の実施の形態として炊飯器を示すもので、すなわち、炊飯器本体１は、炊飯動作のコース選択、または動作開始及び停止を入力する操作手段２と、液晶等で構成され、動作内容及び前記操作手段２によるコース選択内容を表示する表示手段３と、ブザー、スピーカー等で構成され、使用者に操作手段２の入力確認及び炊飯動作の終了時期などを報知する報知手段４と、炊飯器本体１の各手段を制御する制御手段５と、炊飯動作状態及び動作回数を記憶し炊飯器の機能の使用頻度を認識する頻度認識手段６と、釜７を前記制御手段５の指示により加熱する加熱手段８と、本体動作の機能提案の回数を記憶する提案実行回数記憶手段９とを備えている。
【００２０】
前記制御手段５は、実際にはマイコン等で構成される。
【００２１】
図２に示すように、操作手段２は複数の押しボタンスイッチ２ａ〜２ｇにより構成されており、表示手段３である四角形状の表示窓３ａの隣り合う二辺に近接して配置されている。
【００２２】
操作手段２の具体例としては、炊飯器本体１の動作コースを選択するメニュー選択ボタン２ａ、炊飯する米の種類を選択するお米ボタン２ｂ、タイマーを使用して炊飯する予約炊飯の設定を行う予約ボタン２ｃ、保温設定に用いる保温ボタン２ｄ、使用者に推奨する機能提案のＯＮ／ＯＦＦ設定を行う提案ボタン２ｅ、操作の取り消し等に用いる取り消しボタン２ｆ、炊飯の開始等に用いる炊飯ボタン２ｇが挙げられる。
【００２３】
さらに図示していないが、スピーカー等で構成され、使用者に操作手段２の入力確認及び炊飯器本体１の動作の終了時期などを報知する報知手段４が表示手段３の近傍に配置され、使用者の操作手段２の操作時の報知または使用者への報知のタイミングに使用者に認識されやすいように構成されている。
【００２４】
以上のように構成された炊飯器について、以下、その動作、作用を説明する。
【００２５】
操作手段２のメニュー選択ボタン２ａは、これを押すことで「ふつう」、「少量」、「炊き込み」、「おかゆ」、「お手入れ」等の炊飯方法の選択が順次切り替わり、これらの中から所望のメニューを選択する。
【００２６】
また、米種ボタン２ｂを押すことで「白米」、「無洗米」、「玄米」の米の種類の選択が順次、切り替わり、これらの中から所望の米種を選択する。
【００２７】
また、提案ボタン２ｅを押すたびに表示窓３ａの左下部に「提案ＯＮ」と消灯を繰り返し、「提案ＯＮ」が表示されている場合のみ後述の機能提案を表示手段３又は報知手段４にて行われる。
【００２８】
図３、図４は本発明の炊飯器の動作フローを示したものである。
【００２９】
最初にメニュー選択ボタン２ａを押し、「ふつう」、「少量」、「炊き込み」、「おかゆ」、「お手入れ」のから所望のメニューを選択する（ステップ１）。
【００３０】
そして、米種ボタン２ｂを使用し「白米」、「無洗米」、「玄米」の中から所望の米種を選択する（ステップ２）。
【００３１】
その後、炊飯ボタン２ｇを押し、炊飯を開始する（ステップ３）。ここまでの操作は予約炊飯を行わない場合であり、予約炊飯を行う場合は、最初に予約ボタン２ｃを押し表示窓３ａに現れる予約炊飯時刻を所望の時刻に予約ボタン２ｃを使用して（例えば押すたびに３０分ごとに時刻が進む等）、設定した後に、炊飯ボタン２ｇを押すことで、予約炊飯が設定されるが、予約炊飯に関しては本発明の実施の形態に直接関係が無いので詳細な説明は省略する。
【００３２】
炊飯ボタン２ｇが押され炊飯が開始されると、提案ボタン２ｅが押され、提案動作が許可されているかを判定し（ステップ４）、許可されていれば、頻度認識手段６にその時の動作状態（例えば、炊飯方法「ふつう」、米種「白米」、炊飯内容「浸水工程カットなし通常炊飯」）が記録され、さらにその時点での動作回数が第１の所定の回数（例えば３０回）に達したかどうかを判定する（ステップ５）。
【００３３】
所定の動作回数に達していれば制御手段５では頻度認識手段６の動作状態記憶に応じて、使用回数が第２の所定回数（例えば１回）に達していない使用頻度の低い機能の有無を判定し、そのような機能が有るか判定する（ステップ６）。
【００３４】
ここで複数の機能が第２の所定回数（例えば１回）に達していない場合には予め設定された優先順位で候補を決定する［例えば優先順位：炊飯方法（例：「お手入れ」有り無し）＞炊飯内容（例：「浸水工程カット」有り無し）＞米種］。
【００３５】
尚、本実施の形態では説明の都合上、このような提案する機能は「浸水工程カット」と「お手入れ」機能の２つとし、説明の便宜上、「浸水工程カット」機能を機能Ａとし、「お手入れ」機能を機能Ｂとする。
【００３６】
そして、ステップ６で認識した使用頻度の低い機能が機能Ａであれば（ステップ７）、過去に第３の所定回数（例えば２回）を提案済みか否かを判定する（ステップ８）。
【００３７】
既に提案済みであれば、その機能を提案の機能から削除し（ステップ９）、ステップ６に戻り再度、第２の所定回数（例えば１回）に達していない使用頻度の低い機能の有無を判定する。
【００３８】
ステップ８で機能Ａが第３の所定回数（例えば２回）を提案済みでなければ機能提案の候補として確定する（ステップ１０）。
【００３９】
そして、候補として確定された機能に予め設定された提案時期（操作後又は動作後）を決定する（ステップ１５）。
【００４０】
これは例えば機能Ａの炊飯内容である「浸水工程カット」機能であれば、提案時期は操作後とする。
【００４１】
一方、ステップ７で使用頻度の低い機能が機能Ａでなく、機能Ｂの炊飯方法である「お手入れ」機能であればステップ８と同様にステップ１２で過去に第４の所定回数（例えば３回）を提案済みか否かを判定する。
【００４２】
既に提案済みであれば、その機能を提案の機能から削除し（ステップ１３）、ステップ６に戻り再度、第２の所定回数（例えば１回）に達していない使用頻度の低い機能の有無を判定する（この場合、前述のように機能は機能Ａ、Ｂの２つのみであるので、提案機能無しでステップ１１へ遷移する）。
【００４３】
また、ステップ１２で機能Ｂが第４の所定回数（例えば３回）を提案済みでなければ機能提案の候補として確定する（ステップ１４）。
【００４４】
そして、候補として確定された機能に予め設定された提案時期（操作後又は動作後）を決定する（ステップ１５）。これは例えば機能Ｂの炊飯方法である「お手入れ」機能であれば、提案時期は動作後とする。
【００４５】
そして、確定された機能候補の提案時期が操作後の提案であれば（ステップ１６）、制御手段５は報知手段４を通じて機能の提案を行う（ステップ１７）。
【００４６】
図５に制御手段５により報知手段４を通じて行われる提案の様子を示す。提案回数に応じて再設定する。
【００４７】
図５は操作手段２と表示手段３とを示し、かつ報知手段４からの音声メッセージを示している。
【００４８】
つまり、頻度認識手段６の動作状態記憶から第１の所定の動作回数の中で、浸水行程カットの動作回数が第２の所定の回数未満であると認識され、かつ提案回数も第３の所定回数以下であれば、報知手段４により、音声で「御存じでしたか？炊飯ボタンを２度、押す事で浸水工程をカットして、ご飯を早く炊く事が出来ます。」を発し、使用者に、この機能の使用提案を行う。
【００４９】
そして、（図４のフロー、ステップ１７に戻る）この機能の提案実施の回数をインクリメントする（ステップ１８）。そして、制御手段５は炊飯行程を実行する（ステップ１９）。また、ステップ２０で提案候補の提案時期を確認し、機能提案候補の提案時期が動作後であった場合、制御手段５は報知手段４を通じて機能の提案をこの時点で行い（ステップ２１）、提案後、その機能の提案実施の回数をインクリメントする（ステップ２２）。
【００５０】
図６にこのときの制御手段５により報知手段４を通じて行われる提案の様子を示す。図６は図５と同様に操作手段２と表示手段３とを示し、かつ報知手段４からの音声メッセージを示している。
【００５１】
この場合、報知手段４により、音声で「御存じでしたか？お手入れコースで炊飯器内のにおいを、取る事が出来ます。」を発し、使用者に、この機能の使用提案を行う。そして
、（図４のフロー、ステップ２２に戻る）、制御手段５は保温行程に移行する（ステップ２３）。一方、ステップ４で提案実行が許可されていない場合、ステップ５で動作回数が第１の所定の回数（例えば３０回）に達していない場合、ステップ１６の確定された機能候補の提案時期が操作後の提案で無い場合には、ステップ１９の炊飯行程に移行する。
【００５２】
また、ステップ６で第２の所定回数（例えば１回）に達していない使用頻度の低い機能が無い場合、制御手段５は頻度認識手段６に記憶される炊飯器本体１の動作回数を初期化し（ステップ１１）、ステップ１９の炊飯行程に移行する。また、ステップ２０で機能候補の提案時期が動作後の提案で無い場合にはステップ２３の保温行程に移行する。
【００５３】
以上のように、本実施の形態においては、頻度認識手段６の動作状態記憶から第１の所定の動作回数を実行した中で、第２の所定の回数未満である機能（例えば機能Ａの浸水行程カット機能）が存在すると認識すると、その機能に関する機能選択の提案（お知らせ）を音声（例えば「御存じでしたか？炊飯ボタンを２度、押す事で浸水工程をカットして、ご飯を早く炊く事が出来ます。」）により行うことで使用者に、この機能の存在を知らしめて機能の使用提案を行う。
【００５４】
これにより、使用頻度の少ない機能の選択を提案し、使用者に未使用であった機能を認知、活用してもらうことで、使用者に対して利便性を向上させる家庭用電化機器を提供することすることを可能にするものである。
【００５５】
また、提案する機能に応じて提案する回数を設定すること（機能Ａ：２回提案、機能Ｂ：３回）で、例えば音声メッセージを聞き漏らしやすい機器の動作後は多めの機能提案回数とし、機能内容に応じたきめ細かい提案動作となり、さらに使用者に対して利便性を向上させる家庭用電化機器を提供することすることを可能にするものである。
【００５６】
尚、本実施の形態１では図３のステップ５で動作回数が第１の所定の回数（例えば３０回）に達したかどうかを判定するとしたが、提案する機能の提案実施回数に応じて第１の所定の回数の設定値を変える様にする（例えば提案初回は３０回、２回目は６０回とする）と、１回目の提案から同じ内容の２回目の機能提案までの動作回数が長くなり、つまり提案間隔が長くなることで、使用者にとって同じ機能提案を頻繁に受ける感覚を与えることなく、前記実施の形態１と同様な効果が得られるものである。
【００５７】
また、本実施の形態１ではいつでも提案ボタン２ｅを押すたびに機能提案の実施の許可（表示窓３ａの「提案ＯＮ」表示）、禁止（表示窓３ａの「提案ＯＮ」非表示）を切り替え可能としたが、機能提案の実施の禁止から許可への切り替え時に、機器の動作回数と提案済み回数を初期化するようにすると、所定回数提案済みの機能の提案を再度、提案可能となり、所定回数の機能提案後に、再度提案内容を確認したい場合に、機能提案動作をＯＦＦからＯＮに切り替えれば、機能提案動作の設定値を初期化することで可能となり、使用者への利便性をさらに向上させ、かつ、前記実施の形態１と同様な効果が得られるものである。
【００５８】
（実施の形態２）
次に本発明の実施の形態２について図７を参照しつつ説明する。以下では、実施の形態１の構成、動作との相違点を中心に述べ、同一要素については同一符号を付してその構成、動作の説明は実施の形態１のものを援用する。
【００５９】
図７において、第１の実施の形態に制御手段５により機能提案が行われる際の報知手段４と表示手段３を切り替えるための切り替えボタン２ｈが操作手段２に追加されている。また、表示部３の表示窓３ａ下部に文字を左スクロールして表示するスクロール表示部３
ｂも追加されている。
【００６０】
また、切り替えボタン２ｈを押すたびに表示窓３ａの左下部に「表示」と「音声」の表示が、「表示」と「音声」、「表示」のみ、「音声」のみの３つのパターンで繰り返し表示され、「表示」と「音声」の表示の場合は図４のフローのステップ１７、２１における機能提案の動作が報知手段４による音声と表示手段３のスクロール表示部３ｂによる文字による表示動作の両方（例えば報知手段４により、音声で「御存じでしたか？お手入れコースで炊飯器内のにおいを、取る事が出来ます。」を発せられ、さらに表示手段３のスクロール表示部３ｂにおいて１５文字ずつ時間の経過と共に左にスクロールされながらメッセージが表示される）が行われ、「表示」のみの表示の場合は表示手段３のスクロール表示部３ｂによる文字による表示動作のみが行われ、「音声」のみの表示の場合は報知手段４による音声のみが行われる。
【００６１】
つまり、切り替えボタン２ｈにより選択された手段によって機能提案が行われる。
【００６２】
以上のように、本実施の形態においては、使用頻度の少ない機能の選択を提案し、使用者に未使用であった機能を認知、活用してもらうことで、使用者に対して利便性を向上させる家庭用電化機器を提供することすることを可能とし、さらに機能の提案を行う方法を音声と表示から使用者が選択可能であり、使用者の好みに応じた手段により機能提案が可能なものである。
【００６３】
（実施の形態３）
次に本発明の実施の形態３について図８を参照しつつ説明する。以下では、実施の形態１の構成、動作との相違点を中心に述べ、同一要素については同一符号を付してその構成、動作の説明は実施の形態１のものを援用する。
【００６４】
本実施の形態３は実施の形態１の図４のフローのステップ１７、２１における機能提案の動作が異なるのみであるので、この機能提案動作の詳細動作について説明する。
【００６５】
機能提案実施の時期に達すると制御手段５はその機能の提案の実施回数を判定し、初回の提案であれば（ステップ３１）、機能提案の実施を音声と表示の両方で行う設定とし（ステップ３２）、機能提案は実施の形態２の図７に示すように報知手段４と表示手段３の両方で行われる（ステップ３３）。
【００６６】
一方、機能提案が２回目以降であれば表示のみの機能提案の設定とし（ステップ３４）、機能提案は表示手段３のみで行われる（ステップ３３）。
【００６７】
以上のように、本実施の形態においては、使用頻度の少ない機能の選択を提案し、使用者に未使用であった機能を認知、活用してもらうことで、使用者に対して利便性を向上させる家庭用電化機器を提供することすることを可能とし、さらに同じ機能の提案は音声を省き表示のみとすることで使用者に音声による再提案を無くし、煩わしさを感じさせることのなく機器の機能提案が可能なものである。
【００６８】
上記した各実施の形態１〜３における構成は、必要に応じて適宜組み合わせて使用することができるものであり、実施の形態そのものの構成に限られるものではない。
【００６９】
（実施の形態４）
次に、本発明の実施の形態４における自律走行装置について説明する。
【００７０】
本実施の形態では、実施の形態１、２、３で説明した各手段は、ＣＰＵ（またはマイコ
ン）、ＲＡＭ、ＲＯＭ、記憶・記録装置、Ｉ／Ｏなどを備えた電気・情報機器、コンピュータ、サーバーなどのハードリソースを協働させるプログラムの形態で実施させるものである。
【００７１】
プログラムの形態であれば、磁気メディアや光メディアなどの記録媒体に記録したりインターネットなどの通信回路を用いて配信したりすることで新しい機能の配布・更新やそのインストール作業が簡単にできる。
【産業上の利用可能性】
【００７２】
以上のように、本発明にかかる家庭用電化機器およびこの装置を機能させるためのプログラムは、使用頻度の少ない機能の選択を提案し、使用者に未使用であった便利な機能を認知、活用してもらうことで、使用者にたいして利便性を向上させることができ、一般の家庭用電化機器に適用できる。
【図面の簡単な説明】
【００７３】
【図１】実施の形態１を示すブロック図
【図２】同操作手段と表示手段の説明図
【図３】同動作フローチャート
【図４】同動作フローチャート
【図５】同操作手段と表示手段の説明図
【図６】同操作手段と表示手段の説明図
【図７】本発明の実施の形態２を示す操作手段と表示手段の説明図
【図８】本発明の実施の形態３を示す動作フローチャート
【符号の説明】
【００７４】
１  本体
２  操作手段
３  表示手段
４  報知手段
５  制御手段
６  頻度認識手段
９  提案実行回数記憶手段
【図１】
2010075357.tif 000003
【図２】
2010075357.tif 000004
【図３】
2010075357.tif 000005
【図４】
2010075357.tif 000006
【図５】
2010075357.tif 000007
【図６】
2010075357.tif 000008
【図７】
2010075357.tif 000009
【図８】
2010075357.tif 000010